(57)【要約】  【課題】  製造コストが比較的低廉であり、ヒノキチオールが揮散しやすく、花粉アレルギーを引き起こす可能性が低く、且つ、おが屑を有効活用可能なおが屑状ヒバの圧縮成形体、その成形体を使用した芳香剤、抗菌・防カビ剤及び防虫剤を提案する。  【解決手段】  ヒノキチオールを含有するヒバをおが屑状にし、圧縮成形により固形化して、おが屑状ヒバの圧縮成形体とする。このおが屑状ヒバの圧縮成形体は、芳香剤や、抗菌・防カビ剤や、防虫剤として使用される。ヒバとしては石川県産の能登ヒバが好ましい。  【選択図】  図２
0003103533.tif 000002
【実用新案登録請求の範囲】
【請求項１】
おが屑状のヒバの集合を圧縮成形により固形化して成ることを特徴とするおが屑状ヒバの圧縮成形体。
【請求項２】
前記請求項１のおが屑状ヒバの圧縮成形体を使用した芳香剤。
【請求項３】
前記請求項１のおが屑状ヒバの圧縮成形体を使用した抗菌・防カビ剤。
【請求項４】
前記請求項１のおが屑状ヒバの圧縮成形体を使用した防虫剤。
【考案の詳細な説明】
【技術分野】
【０００１】
この考案は、芳香剤、抗菌・防カビ剤、防虫剤等として使用されるヒバを使用した成形体に関する。
【背景技術】
【０００２】
従来から、ヒノキ、ヤクスギ等にはヒノキチオールが含有されており、芳香剤、抗菌・防カビ剤、防虫剤等として使用されている。
【０００３】
たとえば、以下に示す文献には、芳香等を目的としたヒノキの間伐材リサイクル商品が開示されている。この考案は、水切りネットにヒノキの間伐材で作ったチップを入れ、口をリボンで止めて巾着状にし、入浴時、あるいは部屋・車の芳香、トイレの消臭を目的として使用するものである。
【特許文献１】実用新案登録第３０９４２７４号公報
【考案の開示】
【考案が解決しようとする課題】
【０００４】
しかしながら、上記特許文献１に開示された考案は、ヒノキをチップにして使用しているため、ヒノキを適当な大きさに切断した後にネットに入れてリボン止めしなければならず、製造工程及び部品点数が増加し、コスト高となってしまう。また、チップが大きいほどチップ内部のヒノキチオールが揮散しにくく、これを芳香剤、抗菌・防カビ剤、防虫剤として使用した場合は、効果が得られにくいという欠点があった。
【０００５】
また、芳香剤、抗菌・防カビ剤、防虫剤として使用される木材としては、ヒノキやヤクスギが使用されているが、ヒノキやヤクスギの花粉は花粉アレルギーの抗原体となるため、ヒノキやヤクスギを芳香剤等として使用した場合は、木材に付着した花粉により花粉アレルギーを引き起こす危険があった。これに対して、ヒノキ科に属するヒバ（別名あすなろ）は、ヒノキチオールを含有しながらも、その花粉はアレルゲンとなりにくいことが知られている。
【０００６】
また、樹木を板材や角材等の材木に加工する工程においては、おが屑が大量に発生する。このおが屑は大部分が廃棄物として処理されており、その有効活用が強く望まれている。
【０００７】
そこで本考案の目的は、製造コストが比較的低廉であり、ヒノキチオールが揮散しやすく、花粉アレルギーを引き起こすこともなく、且つ、おが屑を有効活用可能なおが屑状ヒバの圧縮成形体、その成形体を使用した芳香剤、抗菌・防カビ剤及び防虫剤を提案することにある。
【課題を解決するための手段】
【０００８】
本考案に係る請求項１記載のおが屑状ヒバの圧縮成形体は、おが屑状のヒバの集合を圧縮成形により固形化して成ることを特徴とする。
【０００９】
この考案によれば、おが屑状のヒバの集合を圧縮成形により固形化して成るため、ネット等に収納しなくとも、圧縮成形するだけでおが屑状ヒバが互いに絡み合って結束し、固形状の圧縮成形体となる。圧縮成形体は、おが屑状のヒバが散乱することもないので取り扱いが容易となる。本発明はおが屑状のヒバのみで構成され、主に圧縮処理のみにより製造されるため、製造コストが比較的低廉となる。圧縮成形したおが屑状のヒバの間には微細な隙間が生じるため、圧縮成形体内部のヒノキチオール成分が揮散されやすい。ヒバの花粉はアレルゲンとなりにくいため、花粉が混合されたとしてもアレルギーを引き起こす心配がほとんどない。おが屑状のヒバは、本発明の圧縮成形体の製造を目的としてヒバをおが屑状に削り落としても良いが、ヒバの様々な加工過程において発生するおが屑を使用すれば、さらなるコスト減が図られるとともに、おが屑の有効活用につながる。接着剤等を使用することなく圧縮成形により固形化しており、自然素材であるヒバのみを構成要素とするため、環境や身体にも優しい。
【００１０】
本考案に係る請求項２記載の芳香剤は、前記請求項１記載のおが屑状ヒバの圧縮成形体を使用したことを特徴とする。本考案に係る請求項３記載の抗菌・防カビ剤は、前記請求項１記載のおが屑状ヒバの圧縮成形体を使用したことを特徴とする。本考案に係る請求項４記載の防虫剤は、前記請求項１記載のおが屑状ヒバの圧縮成形体を使用したことを特徴とする。
【００１１】
請求項２乃至請求項４の考案によれば、請求項１のおが屑状ヒバの圧縮成形体を使用することにより、ヒノキチオール成分が有効に働き、芳香、抗菌・防カビ、防虫作用が発揮される。圧縮成形されたおが屑状ヒバの間の狭小な隙間により内部からもヒノキチオール成分が揮散され、芳香、抗菌・防カビ、防虫作用がより効果的に発揮される。芳香剤、抗菌・防カビ剤、防虫剤は、机の上や箪笥内等に配置されて使用されるが、圧縮成形により固形化されているため、取り扱いが容易であり、花粉アレルギーの心配もない。
【考案の効果】
【００１２】
本考案によれば、おが屑状のヒバの集合を圧縮成形により固形化して成るため、おが屑状のヒバが散乱することもなく、取り扱いが容易である。従来のようにチップ状ヒバを使用する場合はチップ状に切断した後にネットに収納する等の処理が必要であるが、本考案によればおが屑状のヒバを圧縮成形するだけで良いため、処理工程および部品点数が少なく、製造コストが比較的に低廉となる。圧縮成形されたおが屑状のヒバの間には、微細な隙間が生じるため、圧縮成形体内部からもヒノキチオール成分が揮散されやすい。ヒバの花粉はアレルゲンとならないため、花粉が混合されたとしてもアレルギーを引き起こす可能性が少ない。ヒバの様々な加工過程において発生するおが屑を使用すれば、さらなるコスト削減が図られるとともに、おが屑の有効活用につながる。
【００１３】
このおが屑状ヒバの圧縮成形体を使用すれば、上述のようにヒノキチオール成分が内部からも揮散され、芳香剤、抗菌・防カビ剤として高い効果が得られる。たとえば、学童机等の上に配置すれば、芳香剤としての作用によりリラックスしてストレスの解消・集中力のアップ・情緒安定の効果が得られるとともに、防虫剤としての作用により蚊等の害虫が寄り付かなくなる。また、抗菌・防カビ剤として冷蔵庫内や食品保存用の棚・容器・袋内等に配置することにより、食品の保存等に好適である。また、防虫剤として箪笥内等に配置することにより、防虫剤としての効果を発揮し、洋服の保存にも好適である。ヒノキチオール成分は圧縮成形体表面のみならず内部からも揮散されるため広い範囲に十分に行き渡り、芳香剤、抗菌・防カビ剤、防虫剤として高い効果が得られる。これらの芳香剤、抗菌・防カビ剤、防虫剤は日常の生活領域に配置されて使用されるが、材料にヒバを使用しているため、花粉によるアレルギーの心配もほとんどない。自然素材であるヒバのみを構成要素とするため、環境や身体にも優しい。
【考案を実施するための最良の形態】
【００１４】
以下、本考案を実施するための最良の形態を図に基づき説明する。
図１は、本実施の形態のおが屑状ヒバの圧縮成形体１の斜視図であり、図２は、その製造過程を説明する説明図である。おが屑状ヒバの圧縮成形体１は、おが屑状のヒバ２の集合を圧縮成形することにより固形化されたものである。その形状は直径約６．５ｃｍ、厚み約３．３ｃｍの円柱形状であり、重量約１００ｇである。
【００１５】
おが屑状のヒバ２は、材木状や板状等のヒバを加工する際に発生するおが屑を使用する（図２（ａ））。おが屑状ヒバの圧縮成形体１の製造を目的としてヒバをおが屑状に削り落としても良いが、ヒバの様々な加工過程において発生するおが屑を使用すれば、おが屑の有効活用につながる。おが屑状のヒバ２の形状は問わないが、大きさは縦横幅１ｍｍ以上７ｍｍ以内、厚み１ｍｍ以下であることが好ましい。この範囲の大きさであれば、圧縮したときにおが屑状のヒバ２が互いに絡み合って結束しやすい。ヒバはヒノキ科アスナロ属の針葉樹であり、本実施の形態では石川県産の能登ヒバを使用している。能登ヒバは、たとえば米国産のヒバと比較して、ヒノキチオール含有量が高く、芳香剤、抗菌・防カビ剤、防虫剤に適している。
【００１６】
このおが屑状のヒバ２を円筒形状の金型に充填し（図２（ｂ））、加圧して容積を圧縮する（図２（ｂ））。圧縮処理に際しては、約１００ｇのおが屑状のヒバ２に対して約１００Ｋｇ／ｃｍ2で加圧することが好ましい。この程度の力で加圧することにより、形状を維持できる程度に固形化されるとともに、おが屑状のヒバ２の間に適度な隙間が生じて内部のヒノキチオール成分が揮散されやすくなる。その後、金型内からおが屑状のヒバ２の集合を取り出す（図２（ｄ））。おが屑状のヒバ２は、圧縮により互いに絡み合って結束し、円柱形状の固形体に圧縮成形されたおが屑状ヒバの圧縮成形体１となる。成形体としての形状を維持させるために、おが屑状ヒバ２に接着剤を混合したり、表面をコーティングする必要はない。本実施の形態では、円筒形状の金型を使用しているため、おが屑状ヒバの圧縮成形体１は円柱形状であるが、金型を変えることにより所望の形状とすることも可能である。
【００１７】
また、図３に示すように、円筒形状のシリンダ内におが屑状のヒバ２の集合を充填し、ピストンにより押し出して製造しても良い。この場合、製造の最初の段階においては、シリンダの出口を予め製造した圧縮成形体１ａ等を詰めることにより塞ぐ。その後、充填したおが屑状のヒバ２の集合を所定の力で加圧する。出口に位置する先頭の圧縮成形体１ａは、シリンダとの摩擦により、ある程度の間押し出されることなく出口付近にとどまるが、加圧を継続するにつれておが屑状のヒバ２の集合が圧縮されるとともに先頭の圧縮成形体１ａに加わる圧力が増加し、所定レベルを超えると先頭の圧縮成形体１ａは移動し始めてシリンダの出口から押し出され、新たに成形された圧縮成形体１ｂが出口に位置する。この繰り返しにより、圧縮成形体１が連続して製造される。
【００１８】
圧縮成形されたおが屑状ヒバの圧縮成形体１は、図１に示すように、おが屑状ヒバ２が互いに絡み合って結束した固形体となる。このおが屑状ヒバの圧縮成形体１は、芳香剤や抗菌・防カビ剤や防虫剤として使用される。このままの状態で机上や押し入れ内等に配置して使用しても良いが、例えば、デザイン性のある袋や箱等に入れて使用しても良い。
【００１９】
以上、本実施の形態のおが屑状ヒバの圧縮成形体１は、石川県産の能登ヒバを使用した円柱形状のものを例に説明したが、他の産地のヒバでも良く、形状や大きさも問わない。また、本実施の形態では、芳香剤、抗菌・防カビ剤、防虫剤としての使用を例に説明したが、ヒバは調湿機能を有することから、調湿剤として使用したり、様々な形に成形してインテリアとして使用しても良く、その用途は問わない。たとえば、おが屑状ヒバの圧縮成形体１は、水分を加えることにより簡単に解体するため、プランター等の底部に幾つか載置して水分を加えることにより、プランター底部におが屑状のヒバ２の層が形成され、水はけが良くなる。
【図面の簡単な説明】
【００２０】
【図１】本考案の一実施の形態のおが屑状ヒバの圧縮成形体を示す斜視図。
【図２】上記おが屑状ヒバの圧縮成形体の製造方法を説明する図。
【図３】上記おが屑状ヒバの圧縮成形体の他の製造方法を説明する図。
【符号の説明】
【００２１】
１,１ａ,１ｂ  おが屑状ヒバの圧縮成形体
２  おが屑状のヒバ
【図１】
0003103533.tif 000003
【図２】
0003103533.tif 000004
【図３】
0003103533.tif 000005
【手続補正書】
【提出日】平成16年1月29日(2004.1.29)
【手続補正１】
【補正対象書類名】実用新案登録請求の範囲
【補正対象項目名】全文
【補正方法】変更
【補正の内容】
【実用新案登録請求の範囲】
【請求項１】
おが屑状のヒバの集合を圧縮成形することにより、おが屑状のヒバが互いに絡み合って結束し、固形状となっていることを特徴とするおが屑状ヒバの成形体。
【請求項２】
前記請求項１のおが屑状ヒバの成形体を使用した芳香剤。
【請求項３】
前記請求項１のおが屑状ヒバの成形体を使用した抗菌・防カビ剤。
【請求項４】
前記請求項１のおが屑状ヒバの成形体を使用した防虫剤。
【手続補正２】
【補正対象書類名】明細書
【補正対象項目名】全文
【補正方法】変更
【補正の内容】
【考案の詳細な説明】
【技術分野】
【０００１】
この考案は、芳香剤、抗菌・防カビ剤、防虫剤等として使用されるヒバを使用した成形体に関する。
【背景技術】
【０００２】
従来から、ヒノキ、ヤクスギ等にはヒノキチオールが含有されており、芳香剤、抗菌・防カビ剤、防虫剤等として使用されている。
【０００３】
たとえば、以下に示す文献には、芳香等を目的としたヒノキの間伐材リサイクル商品が開示されている。この考案は、水切りネットにヒノキの間伐材で作ったチップを入れ、口をリボンで止めて巾着状にし、入浴時、あるいは部屋・車の芳香、トイレの消臭を目的として使用するものである。
【特許文献１】実用新案登録第３０９４２７４号公報
【考案の開示】
【考案が解決しようとする課題】
【０００４】
しかしながら、上記特許文献１に開示された考案は、ヒノキをチップにして使用しているため、ヒノキを適当な大きさに切断した後にネットに入れてリボン止めしなければならず、製造工程及び部品点数が増加し、コスト高となってしまう。また、チップが大きいほどチップ内部のヒノキチオールが揮散しにくく、これを芳香剤、抗菌・防カビ剤、防虫剤として使用した場合は、効果が得られにくいという欠点があった。
【０００５】
また、芳香剤、抗菌・防カビ剤、防虫剤として使用される木材としては、ヒノキやヤクスギが使用されているが、ヒノキやヤクスギの花粉は花粉アレルギーの抗原体となるため、ヒノキやヤクスギを芳香剤等として使用した場合は、木材に付着した花粉により花粉アレルギーを引き起こす危険があった。これに対して、ヒノキ科に属するヒバ（別名あすなろ）は、ヒノキチオールを含有しながらも、その花粉はアレルゲンとなりにくいことが知られている。
【０００６】
また、樹木を板材や角材等の材木に加工する工程においては、おが屑が大量に発生する。このおが屑は大部分が廃棄物として処理されており、その有効活用が強く望まれている。
【０００７】
そこで本考案の目的は、製造コストが比較的低廉であり、ヒノキチオールが揮散しやすく、花粉アレルギーを引き起こすこともなく、且つ、おが屑を有効活用可能なおが屑状ヒバの成形体、その成形体を使用した芳香剤、抗菌・防カビ剤及び防虫剤を提案することにある。
【課題を解決するための手段】
【０００８】
本考案に係る請求項１記載のおが屑状ヒバの成形体は、おが屑状のヒバの集合を圧縮成形することにより、おが屑状のヒバが互いに絡み合って結束し、固形状となっていることを特徴とする。
【０００９】
この考案によれば、おが屑状のヒバの集合を圧縮成形により固形化して成るため、ネット等に収納しなくとも、圧縮成形するだけでおが屑状ヒバが互いに絡み合って結束し、固形状の成形体となる。成形体は、おが屑状のヒバが散乱することもないので取り扱いが容易となる。本発明はおが屑状のヒバのみで構成され、主に圧縮処理のみにより製造されるため、製造コストが比較的低廉となる。圧縮成形したおが屑状のヒバの間には微細な隙間が生じるため、成形体内部のヒノキチオール成分が揮散されやすい。ヒバの花粉はアレルゲンとなりにくいため、花粉が混合されたとしてもアレルギーを引き起こす心配がほとんどない。おが屑状のヒバは、本発明の成形体の製造を目的としてヒバをおが屑状に削り落としても良いが、ヒバの様々な加工過程において発生するおが屑を使用すれば、さらなるコスト減が図られるとともに、おが屑の有効活用につながる。接着剤等を使用することなく圧縮成形により固形化しており、自然素材であるヒバのみを構成要素とするため、環境や身体にも優しい。
【００１０】
本考案に係る請求項２記載の芳香剤は、前記請求項１記載のおが屑状ヒバの成形体を使用したことを特徴とする。本考案に係る請求項３記載の抗菌・防カビ剤は、前記請求項１記載のおが屑状ヒバの成形体を使用したことを特徴とする。本考案に係る請求項４記載の防虫剤は、前記請求項１記載のおが屑状ヒバの成形体を使用したことを特徴とする。
【００１１】
請求項２乃至請求項４の考案によれば、請求項１のおが屑状ヒバの成形体を使用することにより、ヒノキチオール成分が有効に働き、芳香、抗菌・防カビ、防虫作用が発揮される。圧縮成形されたおが屑状ヒバの間の狭小な隙間により内部からもヒノキチオール成分が揮散され、芳香、抗菌・防カビ、防虫作用がより効果的に発揮される。芳香剤、抗菌・防カビ剤、防虫剤は、机の上や箪笥内等に配置されて使用されるが、圧縮成形により固形化されているため、取り扱いが容易であり、花粉アレルギーの心配もない。
【考案の効果】
【００１２】
本考案によれば、おが屑状のヒバの集合を圧縮成形により固形化して成るため、おが屑状のヒバが散乱することもなく、取り扱いが容易である。従来のようにチップ状ヒバを使用する場合はチップ状に切断した後にネットに収納する等の処理が必要であるが、本考案によればおが屑状のヒバを圧縮成形するだけで良いため、処理工程および部品点数が少なく、製造コストが比較的に低廉となる。圧縮成形されたおが屑状のヒバの間には、微細な隙間が生じるため、成形体内部からもヒノキチオール成分が揮散されやすい。ヒバの花粉はアレルゲンとならないため、花粉が混合されたとしてもアレルギーを引き起こす可能性が少ない。ヒバの様々な加工過程において発生するおが屑を使用すれば、さらなるコスト削減が図られるとともに、おが屑の有効活用につながる。
【００１３】
このおが屑状ヒバの成形体を使用すれば、上述のようにヒノキチオール成分が内部からも揮散され、芳香剤、抗菌・防カビ剤として高い効果が得られる。たとえば、学童机等の上に配置すれば、芳香剤としての作用によりリラックスしてストレスの解消・集中力のアップ・情緒安定の効果が得られるとともに、防虫剤としての作用により蚊等の害虫が寄り付かなくなる。また、抗菌・防カビ剤として冷蔵庫内や食品保存用の棚・容器・袋内等に配置することにより、食品の保存等に好適である。また、防虫剤として箪笥内等に配置することにより、防虫剤としての効果を発揮し、洋服の保存にも好適である。ヒノキチオール成分は成形体表面のみならず内部からも揮散されるため広い範囲に十分に行き渡り、芳香剤、抗菌・防カビ剤、防虫剤として高い効果が得られる。これらの芳香剤、抗菌・防カビ剤、防虫剤は日常の生活領域に配置されて使用されるが、材料にヒバを使用しているため、花粉によるアレルギーの心配もほとんどない。自然素材であるヒバのみを構成要素とするため、環境や身体にも優しい。
【考案を実施するための最良の形態】
【００１４】
以下、本考案を実施するための最良の形態を図に基づき説明する。
図１は、本実施の形態のおが屑状ヒバの成形体１の斜視図であり、図２は、その製造過程を説明する説明図である。おが屑状ヒバの成形体１は、おが屑状のヒバ２の集合を圧縮成形することにより固形化されたものである。その形状は直径約６．５ｃｍ、厚み約３．３ｃｍの円柱形状であり、重量約１００ｇである。
【００１５】
おが屑状のヒバ２は、材木状や板状等のヒバを加工する際に発生するおが屑を使用する（図２（ａ））。おが屑状ヒバの成形体１の製造を目的としてヒバをおが屑状に削り落としても良いが、ヒバの様々な加工過程において発生するおが屑を使用すれば、おが屑の有効活用につながる。おが屑状のヒバ２の形状は問わないが、大きさは縦横幅１ｍｍ以上７ｍｍ以内、厚み１ｍｍ以下であることが好ましい。この範囲の大きさであれば、圧縮したときにおが屑状のヒバ２が互いに絡み合って結束しやすい。ヒバはヒノキ科アスナロ属の針葉樹であり、本実施の形態では石川県産の能登ヒバを使用している。能登ヒバは、たとえば米国産のヒバと比較して、ヒノキチオール含有量が高く、芳香剤、抗菌・防カビ剤、防虫剤に適している。
【００１６】
このおが屑状のヒバ２を円筒形状の金型に充填し（図２（ｂ））、加圧して容積を圧縮する（図２（ｂ））。圧縮処理に際しては、約１００ｇのおが屑状のヒバ２に対して約１００Ｋｇ／ｃｍ2で加圧することが好ましい。この程度の力で加圧することにより、形状を維持できる程度に固形化されるとともに、おが屑状のヒバ２の間に適度な隙間が生じて内部のヒノキチオール成分が揮散されやすくなる。その後、金型内からおが屑状のヒバ２の集合を取り出す（図２（ｄ））。おが屑状のヒバ２は、圧縮により互いに絡み合って結束し、円柱形状の固形体に圧縮成形されたおが屑状ヒバの成形体１となる。成形体としての形状を維持させるために、おが屑状ヒバ２に接着剤を混合したり、表面をコーティングする必要はない。本実施の形態では、円筒形状の金型を使用しているため、おが屑状ヒバの成形体１は円柱形状であるが、金型を変えることにより所望の形状とすることも可能である。
【００１７】
また、図３に示すように、円筒形状のシリンダ内におが屑状のヒバ２の集合を充填し、ピストンにより押し出して製造しても良い。この場合、製造の最初の段階においては、シリンダの出口を予め製造した成形体１ａ等を詰めることにより塞ぐ。その後、充填したおが屑状のヒバ２の集合を所定の力で加圧する。出口に位置する先頭の成形体１ａは、シリンダとの摩擦により、ある程度の間押し出されることなく出口付近にとどまるが、加圧を継続するにつれておが屑状のヒバ２の集合が圧縮されるとともに先頭の成形体１ａに加わる圧力が増加し、所定レベルを超えると先頭の成形体１ａは移動し始めてシリンダの出口から押し出され、新たに成形された成形体１ｂが出口に位置する。この繰り返しにより、成形体１が連続して製造される。
【００１８】
圧縮成形されたおが屑状ヒバの成形体１は、図１に示すように、おが屑状ヒバ２が互いに絡み合って結束した固形体となる。このおが屑状ヒバの成形体１は、芳香剤や抗菌・防カビ剤や防虫剤として使用される。このままの状態で机上や押し入れ内等に配置して使用しても良いが、例えば、デザイン性のある袋や箱等に入れて使用しても良い。
【００１９】
以上、本実施の形態のおが屑状ヒバの成形体１は、石川県産の能登ヒバを使用した円柱形状のものを例に説明したが、他の産地のヒバでも良く、形状や大きさも問わない。また、本実施の形態では、芳香剤、抗菌・防カビ剤、防虫剤としての使用を例に説明したが、ヒバは調湿機能を有することから、調湿剤として使用したり、様々な形に成形してインテリアとして使用しても良く、その用途は問わない。たとえば、おが屑状ヒバの成形体１は、水分を加えることにより簡単に解体するため、プランター等の底部に幾つか載置して水分を加えることにより、プランター底部におが屑状のヒバ２の層が形成され、水はけが良くなる。
【図面の簡単な説明】
【００２０】
【図１】本考案の一実施の形態のおが屑状ヒバの成形体を示す斜視図。
【図２】上記おが屑状ヒバの成形体の製造方法を説明する図。
【図３】上記おが屑状ヒバの成形体の他の製造方法を説明する図。
【符号の説明】
【００２１】
１  おが屑状ヒバの成形体
２，２ａ，２ｂ  おが屑状のヒバ
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
おが屑状のヒバの集合を圧縮成形により円柱形状に固形化して成ることを特徴とするおが屑状ヒバの圧縮成形体。
【請求項２】
前記請求項１のおが屑状ヒバの成形体を使用した芳香剤。
【請求項３】
前記請求項１のおが屑状ヒバの成形体を使用した抗菌・防カビ剤。
【請求項４】
前記請求項１のおが屑状ヒバの成形体を使用した防虫剤。
【手続補正２】
【補正対象書類名】明細書
【補正対象項目名】全文
【補正方法】変更
【補正の内容】
【考案の詳細な説明】
【技術分野】
【０００１】
この考案は、芳香剤、抗菌・防カビ剤、防虫剤等として使用されるヒバを使用した成形体に関する。
【背景技術】
【０００２】
従来から、ヒノキ、ヤクスギ等にはヒノキチオールが含有されており、芳香剤、抗菌・防カビ剤、防虫剤等として使用されている。
【０００３】
たとえば、以下に示す文献には、芳香等を目的としたヒノキの間伐材リサイクル商品が開示されている。この考案は、水切りネットにヒノキの間伐材で作ったチップを入れ、口をリボンで止めて巾着状にし、入浴時、あるいは部屋・車の芳香、トイレの消臭を目的として使用するものである。
【特許文献１】実用新案登録第３０９４２７４号公報
【考案の開示】
【考案が解決しようとする課題】
【０００４】
しかしながら、上記特許文献１に開示された考案は、ヒノキをチップにして使用しているため、ヒノキを適当な大きさに切断した後にネットに入れてリボン止めしなければならず、製造工程及び部品点数が増加し、コスト高となってしまう。また、チップが大きいほどチップ内部のヒノキチオールが揮散しにくく、これを芳香剤、抗菌・防カビ剤、防虫剤として使用した場合は、効果が得られにくいという欠点があった。
【０００５】
また、芳香剤、抗菌・防カビ剤、防虫剤として使用される木材としては、ヒノキやヤクスギが使用されているが、ヒノキやヤクスギの花粉は花粉アレルギーの抗原体となるため、ヒノキやヤクスギを芳香剤等として使用した場合は、木材に付着した花粉により花粉アレルギーを引き起こす危険があった。これに対して、ヒノキ科に属するヒバ（別名あすなろ）は、ヒノキチオールを含有しながらも、その花粉はアレルゲンとなりにくいことが知られている。
【０００６】
また、樹木を板材や角材等の材木に加工する工程においては、おが屑が大量に発生する。このおが屑は大部分が廃棄物として処理されており、その有効活用が強く望まれている。
【０００７】
そこで本考案の目的は、製造コストが比較的低廉であり、ヒノキチオールが揮散しやすく、花粉アレルギーを引き起こすこともなく、且つ、おが屑を有効活用可能なおが屑状ヒバの成形体、その成形体を使用した芳香剤、抗菌・防カビ剤及び防虫剤を提案することにある。
【課題を解決するための手段】
【０００８】
本考案に係る請求項１記載のおが屑状ヒバの成形体は、おが屑状のヒバの集合を圧縮成形により円柱形状に固形化して成ることを特徴とする。
【０００９】
この考案によれば、おが屑状のヒバの集合を圧縮成形により固形化して成るため、ネット等に収納しなくとも、圧縮成形するだけでおが屑状ヒバが互いに絡み合って結束し、固形状の成形体となる。成形体は、おが屑状のヒバが散乱することもないので取り扱いが容易となる。本発明はおが屑状のヒバのみで構成され、主に圧縮処理のみにより製造されるため、製造コストが比較的低廉となる。圧縮成形したおが屑状のヒバの間には微細な隙間が生じるため、成形体内部のヒノキチオール成分が揮散されやすい。ヒバの花粉はアレルゲンとなりにくいため、花粉が混合されたとしてもアレルギーを引き起こす心配がほとんどない。おが屑状のヒバは、本発明の成形体の製造を目的としてヒバをおが屑状に削り落としても良いが、ヒバの様々な加工過程において発生するおが屑を使用すれば、さらなるコスト減が図られるとともに、おが屑の有効活用につながる。接着剤等を使用することなく圧縮成形により固形化しており、自然素材であるヒバのみを構成要素とするため、環境や身体にも優しい。
【００１０】
本考案に係る請求項２記載の芳香剤は、前記請求項１記載のおが屑状ヒバの成形体を使用したことを特徴とする。本考案に係る請求項３記載の抗菌・防カビ剤は、前記請求項１記載のおが屑状ヒバの成形体を使用したことを特徴とする。本考案に係る請求項４記載の防虫剤は、前記請求項１記載のおが屑状ヒバの成形体を使用したことを特徴とする。
【００１１】
請求項２乃至請求項４の考案によれば、請求項１のおが屑状ヒバの成形体を使用することにより、ヒノキチオール成分が有効に働き、芳香、抗菌・防カビ、防虫作用が発揮される。圧縮成形されたおが屑状ヒバの間の狭小な隙間により内部からもヒノキチオール成分が揮散され、芳香、抗菌・防カビ、防虫作用がより効果的に発揮される。芳香剤、抗菌・防カビ剤、防虫剤は、机の上や箪笥内等に配置されて使用されるが、圧縮成形により固形化されているため、取り扱いが容易であり、花粉アレルギーの心配もない。
【考案の効果】
【００１２】
本考案によれば、おが屑状のヒバの集合を圧縮成形により固形化して成るため、おが屑状のヒバが散乱することもなく、取り扱いが容易である。従来のようにチップ状ヒバを使用する場合はチップ状に切断した後にネットに収納する等の処理が必要であるが、本考案によればおが屑状のヒバを圧縮成形するだけで良いため、処理工程および部品点数が少なく、製造コストが比較的に低廉となる。圧縮成形されたおが屑状のヒバの間には、微細な隙間が生じるため、成形体内部からもヒノキチオール成分が揮散されやすい。ヒバの花粉はアレルゲンとならないため、花粉が混合されたとしてもアレルギーを引き起こす可能性が少ない。ヒバの様々な加工過程において発生するおが屑を使用すれば、さらなるコスト削減が図られるとともに、おが屑の有効活用につながる。
【００１３】
このおが屑状ヒバの成形体を使用すれば、上述のようにヒノキチオール成分が内部からも揮散され、芳香剤、抗菌・防カビ剤として高い効果が得られる。たとえば、学童机等の上に配置すれば、芳香剤としての作用によりリラックスしてストレスの解消・集中力のアップ・情緒安定の効果が得られるとともに、防虫剤としての作用により蚊等の害虫が寄り付かなくなる。また、抗菌・防カビ剤として冷蔵庫内や食品保存用の棚・容器・袋内等に配置することにより、食品の保存等に好適である。また、防虫剤として箪笥内等に配置することにより、防虫剤としての効果を発揮し、洋服の保存にも好適である。ヒノキチオール成分は成形体表面のみならず内部からも揮散されるため広い範囲に十分に行き渡り、芳香剤、抗菌・防カビ剤、防虫剤として高い効果が得られる。これらの芳香剤、抗菌・防カビ剤、防虫剤は日常の生活領域に配置されて使用されるが、材料にヒバを使用しているため、花粉によるアレルギーの心配もほとんどない。自然素材であるヒバのみを構成要素とするため、環境や身体にも優しい。
【考案を実施するための最良の形態】
【００１４】
以下、本考案を実施するための最良の形態を図に基づき説明する。
図１は、本実施の形態のおが屑状ヒバの成形体１の斜視図であり、図２は、その製造過程を説明する説明図である。おが屑状ヒバの成形体１は、おが屑状のヒバ２の集合を圧縮成形することにより固形化されたものである。その形状は直径約６．５ｃｍ、厚み約３．３ｃｍの円柱形状であり、重量約１００ｇである。
【００１５】
おが屑状のヒバ２は、材木状や板状等のヒバを加工する際に発生するおが屑を使用する（図２（ａ））。おが屑状ヒバの成形体１の製造を目的としてヒバをおが屑状に削り落としても良いが、ヒバの様々な加工過程において発生するおが屑を使用すれば、おが屑の有効活用につながる。おが屑状のヒバ２の形状は問わないが、大きさは縦横幅１ｍｍ以上７ｍｍ以内、厚み１ｍｍ以下であることが好ましい。この範囲の大きさであれば、圧縮したときにおが屑状のヒバ２が互いに絡み合って結束しやすい。ヒバはヒノキ科アスナロ属の針葉樹であり、本実施の形態では石川県産の能登ヒバを使用している。能登ヒバは、たとえば米国産のヒバと比較して、ヒノキチオール含有量が高く、芳香剤、抗菌・防カビ剤、防虫剤に適している。
【００１６】
このおが屑状のヒバ２を円筒形状の金型に充填し（図２（ｂ））、加圧して容積を圧縮する（図２（ｂ））。圧縮処理に際しては、約１００ｇのおが屑状のヒバ２に対して約１００Ｋｇ／ｃｍ2で加圧することが好ましい。この程度の力で加圧することにより、形状を維持できる程度に固形化されるとともに、おが屑状のヒバ２の間に適度な隙間が生じて内部のヒノキチオール成分が揮散されやすくなる。その後、金型内からおが屑状のヒバ２の集合を取り出す（図２（ｄ））。おが屑状のヒバ２は、圧縮により互いに絡み合って結束し、円柱形状の固形体に圧縮成形されたおが屑状ヒバの成形体１となる。成形体としての形状を維持させるために、おが屑状ヒバ２に接着剤を混合したり、表面をコーティングする必要はない。本実施の形態では、円筒形状の金型を使用しているため、おが屑状ヒバの成形体１は円柱形状であるが、金型を変えることにより所望の形状とすることも可能である。
【００１７】
また、図３に示すように、円筒形状のシリンダ内におが屑状のヒバ２の集合を充填し、ピストンにより押し出して製造しても良い。この場合、製造の最初の段階においては、シリンダの出口を予め製造した成形体１ａ等を詰めることにより塞ぐ。その後、充填したおが屑状のヒバ２の集合を所定の力で加圧する。出口に位置する先頭の成形体１ａは、シリンダとの摩擦により、ある程度の間押し出されることなく出口付近にとどまるが、加圧を継続するにつれておが屑状のヒバ２の集合が圧縮されるとともに先頭の成形体１ａに加わる圧力が増加し、所定レベルを超えると先頭の成形体１ａは移動し始めてシリンダの出口から押し出され、新たに成形された成形体１ｂが出口に位置する。この繰り返しにより、成形体１が連続して製造される。
【００１８】
圧縮成形されたおが屑状ヒバの成形体１は、図１に示すように、おが屑状ヒバ２が互いに絡み合って結束した固形体となる。このおが屑状ヒバの成形体１は、芳香剤や抗菌・防カビ剤や防虫剤として使用される。このままの状態で机上や押し入れ内等に配置して使用しても良いが、例えば、デザイン性のある袋や箱等に入れて使用しても良い。
【００１９】
以上、本実施の形態のおが屑状ヒバの成形体１は、石川県産の能登ヒバを使用した円柱形状のものを例に説明したが、他の産地のヒバでも良く、形状や大きさも問わない。また、本実施の形態では、芳香剤、抗菌・防カビ剤、防虫剤としての使用を例に説明したが、ヒバは調湿機能を有することから、調湿剤として使用したり、様々な形に成形してインテリアとして使用しても良く、その用途は問わない。たとえば、おが屑状ヒバの成形体１は、水分を加えることにより簡単に解体するため、プランター等の底部に幾つか載置して水分を加えることにより、プランター底部におが屑状のヒバ２の層が形成され、水はけが良くなる。
【図面の簡単な説明】
【００２０】
【図１】本考案の一実施の形態のおが屑状ヒバの成形体を示す斜視図。
【図２】上記おが屑状ヒバの成形体の製造方法を説明する図。
【図３】上記おが屑状ヒバの成形体の他の製造方法を説明する図。
【符号の説明】
【００２１】
１  おが屑状ヒバの成形体
２，２ａ，２ｂ  おが屑状のヒバ